(57)【要約】  収容させるべき携帯電話１０に適合する形態を有する任意の適切な材料でできている本体１によって形成された携帯電話又は類似のデバイス１０用のケースであって、前記ケースは、前記ケースの前記本体１の下側部分から突出する折り畳み式のハンドル２を備えており、ユーザが電話又は携帯デバイス１０をある特定の状態で使用するのを可能にする。
2016527044.tif 000002
【特許請求の範囲】
【請求項１】
収容させるべき携帯電話に適合する形態を有する任意の適切な材料でできている本体によって形成された携帯電話又は類似のデバイス用のケースであって、前記ケースの前記本体の下側部分から突出する折り畳み式のハンドルを備えることを特徴とする携帯電話又は類似のデバイス用のケース。
【請求項２】
前記ケースの前記本体の背面が、前記ハンドルが長手方向にスライドするのを可能にするガイド手段を備えることを特徴とする、請求項１に記載の携帯電話又は類似のデバイス用のケース。
【請求項３】
前記ガイド手段が、互いに離間した一対の長手方向ガイドを備えており、前記一対の長手方向ガイドの間の前記ハンドルがスライドし、前記ハンドルが、動作経路を制限するための当接手段を有することを特徴とする、請求項２に記載の携帯電話又は類似のデバイス用のケース。
【請求項４】
前記ハンドルの一端が、前記ケースの前記本体にヒンジ式に繋げられた回転軸を備えていることを特徴とする、請求項１に記載の携帯電話又は類似のデバイス用のケース。
【請求項５】
前記ケースの前記本体が、前記ハンドルをスイベル式に結合させるシャフトを備えており、前記折り畳み式のハンドルが、前記ケースの前記本体によって規定される平面に対して平行な平面上を回転することができるようになっていることを特徴とする、請求項１に記載の携帯電話又は類似のデバイス用のケース。
【請求項６】
前記ケースの前記本体が、前記折り畳み式のハンドルの寸法に対して相補的な寸法を有するハウジングを有しており、前記ハウジング内に、前記ハンドルが折り畳まれていない状態で配置され得ることを特徴とする、請求項１に記載の携帯電話又は類似のデバイス用のケース。
【請求項７】
前記ハウジングが、前記ケースの前記本体の背面にある貫通孔からなることを特徴とする、請求項６に記載の携帯電話又は類似のデバイス用のケース。
【請求項８】
前記ハンドルが、剛性材料又は半剛性材料でできていることを特徴とする、請求項１に記載の携帯電話又は類似のデバイス用のケース。
【発明の詳細な説明】
【技術分野】
【０００１】
本特許出願の目的は、重大な革新及び利点を組み込んだ携帯電話用のケースの登録である。
【０００２】
より具体的には、本発明は、ユーザがある特定の状況で携帯電話や携帯デバイスを使用することを可能にするケースの開発を提案する。
【背景技術】
【０００３】
携帯電話用のケース又はカバーは、電子携帯デバイスを日常の使用による衝撃や損傷から保護するのに役立つ要素である。現在、幅広い種類の市販のケースがあり、これらは、ユーザが扱いやすいように、基本的に、デバイスの画面及び携帯電話の底部を覆われないままにすることができる部分的なカバーから成る。
【０００４】
これらのケースは、それらが無数の種類のデザイン、形状、及び色に加えて剛性形態、半剛性形態、又は軟質形態を有し得るような様々な材料（プラスチック、シリコーン、又はそれらの組み合わせ等）から製造することができる。
【０００５】
スマートフォンとして知られている携帯電話がカメラを備えており、そのカメラは、それらが写真や動画を撮影することを可能にするものであって、基本的に、対応するアイコンを押すことによって起動することが周知である。撮影機能は一般的に両手を使って実行され、これは、より高い操作性及び安心を伴って携帯電話を把持する方法であるという事実を述べておくべきである。しかしながら、自分撮りしたりその他の理由でもう一方の手が塞がっている原因があったりしようがなかろうが、ユーザが片手だけで携帯電話を使用せざるを得ないときには、把持と操作を同時に行うのが難しくなり、その結果、質の悪い写真になったり携帯電話を落としたりすることさえある。
【発明の概要】
【発明が解決しようとする課題】
【０００６】
本発明は、本願の技術分野の範囲で新規なものとして構成されたケースであって、上記した欠点を解決するケースを提供すると共に、下記の添付の説明から明らかであろう他の追加の利点を提供するという課題のために開発されたものである。
【課題を解決するための手段】
【０００７】
したがって、本願発明の１つの目的は、その中に収容させるべき携帯電話に適合する形態を有するあらゆる種類の適切な材料でできている本体からなる携帯電話用のケースであって、前記ケースの前記本体の下側部分から突出する折り畳み式のハンドルを備えることを特徴とするケースを提供することであり、折り畳み式のハンドルが、安心とバランスをもたらしてユーザが片手だけで前記携帯電話やデバイスを把持して操作することを可能にする。したがって、ハンドルが完全に折り畳まれたときには、前記ケースは、任意の従来のケースの特徴を有しており、そのサイズ、形状、又は質感が変わらず、ユーザにとって不都合がないようになっている。
【０００８】
本発明の一実施形態では、前記ケースの前記本体の背面には、前記ハンドルが長手方向にスライドするのを可能にするガイド手段が備えられている。
【０００９】
好ましくは、前記ガイド手段は、互いに離間した一対の長手方向ガイドを備えており、前記一対の長手方向ガイドの間の前記ハンドルがスライドし、前記ハンドルが、動作経路を制限するための当接手段を有する。
これらのガイドがあることによって、より高い剛性のケースが提供される。
【００１０】
本発明の代替の実施形態では、前記ハンドルの一端が、前記ケースの前記本体にヒンジ式に繋げられた回転軸を備えている。
【００１１】
本発明の別の好適な実施形態では、前記ケースの前記本体が、前記ハンドルをスイベル式（a swivelling manner）に結合させるシャフトを備えることができ、前記ハンドルが、前記ケースの前記本体によって規定される平面に対して平行な平面上を回転することができるようになっている。
【００１２】
本発明の別の態様に従うと、前記ケースの前記本体は、前記ハンドルの寸法に対して相補的な寸法を有するハウジングを有しており、そこに前記ハンドルが折り畳まれていない状態で配置され得る。
【００１３】
好適な実施形態では、前記ハウジングは、前記ケースの前記本体の前記背面上の貫通孔からなる。
【００１４】
別の特徴によると、前記ハンドルは、剛性材料又は半剛性材料でできている。
【００１５】
本願発明のケース物体の他の特徴及び利点は、添付図面に非排他的な例示として図示された好適であるが非限定的な実施形態の説明から明らかになるであろう。
【図面の簡単な説明】
【００１６】
【図１ａ】図１ａは、本発明に係るケースの第一実施形態の斜視図である。
【図１ｂ】図１ｂは、本発明に係るケースの第一実施形態の斜視図である。
【図１ｃ】図１ｃは、本発明に係るケースの第一実施形態の斜視図である。
【図２ａ】図２ａは、本発明に係るケースの第二実施形態の正面の斜視図である。
【図２ｂ】図２ｂは、本発明に係るケースの第二実施形態の正面の斜視図である。
【図２ｃ】図２ｃは、本発明に係るケースの第二実施形態の正面の斜視図である。
【図２ｄ】図２ｄは、本発明に係るケースの第二実施形態の正面の斜視図である。
【図３ａ】図３ａは、本発明に係るケースの第三実施形態の背面の斜視図である。
【図３ｂ】図３ｂは、本発明に係るケースの第三実施形態の背面の斜視図である。
【図３ｃ】図３ｃは、本発明に係るケースの第三実施形態の背面の斜視図である。
【図４】図４は、本発明のケースを組み込んでいる携帯電話を把持するユーザの斜視図である。
【発明を実施するための形態】
【００１７】
上記した図面を考慮すると共に、採用された番号付けに従って、本発明の好適な実施形態を見ることができ、それは、以下に示されると共に詳細に説明された部品及び要素を備えている。
【００１８】
したがって、図１ａから図１ｃに見られるように、携帯電話デバイス１０に設置されるのに適したケースが示されており、そのケースには、基本的に、略長方形のベースを有する本体１が備えられており、前記ベースには、ケースの本体１の下側部分から突出する折り畳み式のハンドル２が組み込まれている。特に、互いに離間した一対の平行な長手方向ガイド３が、ケースの本体１の背面上に設けられており、それらの長手方向ガイド３の間のハンドル２が、図１ｂに矢印で示された方向にスライドし、折り畳まれた位置又は折り畳まれていない位置を取る。また、折り畳み式のハンドル２がケースの本体１から分離してしまうのを防止するために、折り畳み式のハンドル２は、動作経路を制限するための手段を備えている。
【００１９】
図２ａから図２ｄに示された図面の代替の実施形態では、それらの構成部分が同じ参照番号が付いており、この代替の実施形態では、ハンドルの一端には、ケースの本体１にヒンジ式に繋げられた回転シャフト又は旋回シャフト４が備えられている。有利なことに、折り畳み式のハンドル２は、本体１に対して様々な位置を取ることができ、１つの位置では、先に説明された実施形態とは対照的に、携帯電話を扱いやすくするために、携帯電話を例えばテーブルや机などの表面上に傾けて配置することができる。
【００２０】
最後に、図３ａから図３ｃは、第三実施形態を示しており、この実施形態では、共通の構成部分または要素もまた同じ参照符号が付けられており、この実施形態では、先の実施形態とは対照的に、ケースの本体１はシャフト又はピン５を備え、折り畳み式のハンドル２がシャフト又はピン５にスイベル式に結合されており、前記ハンドル２が、ケースの本体１によって規定される平面に対して平行な平面上を回転することができるようになっている。
【００２１】
注釈されて示された３つの実施形態では、ケースの本体１は、貫通孔によって形成されたハウジング６を有しており、その貫通孔は、折り畳み式のハンドル２の寸法に対して相補的な寸法を有する略長方形の輪郭を有しており、そこに折り畳み式のハンドル２を折り畳まれていない状態で配置させることができる。
【００２２】
図４は、折り畳み式のハンドル２を有するケースの利用の例示であり、折り畳み式のハンドル２が、例えば携帯デバイスで写真を撮る準備をした状態で、ユーザの手で把持されている。
【００２３】
詳細部、形状、寸法、及びその他の付属要素、並びに本発明のケースを製造するのに使用される材料は、都合が良いように、本発明の本質的性質や以下に含まれた特許請求の範囲によって規定された範囲を毀損させることのない技術的に同等なその他のものと置き換えることもできる。
【符号の説明】
【００２４】
１  本体
２  折り畳み式のハンドル
３  長手方向ガイド
４  回転シャフト又は旋回シャフト
５  シャフト又はピン
６  ハウジング
１０  携帯電話デバイス
【図１ａ】
2016527044.tif 000003
【図１ｂ】
2016527044.tif 000004
【図１ｃ】
2016527044.tif 000005
【図２ａ】
2016527044.tif 000006
【図２ｂ】
2016527044.tif 000007
【図２ｃ】
2016527044.tif 000008
【図２ｄ】
2016527044.tif 000009
【図３ａ】
2016527044.tif 000010
【図３ｂ】
2016527044.tif 000011
【図３ｃ】
2016527044.tif 000012
【図４】
2016527044.tif 000013
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
収容させるべき携帯電話（１０）に適合する形態を有する任意の適切な材料でできている本体（１）によって形成された携帯電話又は類似のデバイス用のケースであって、折り畳まれていない状態で前記ケースの前記本体（１）の下側部分（１２）から突出する折り畳み式のハンドル（２）を備えることを特徴とする携帯電話又は類似のデバイス用のケース。
【請求項２】
前記ケースの前記本体（１）の背面（１１）が、前記折り畳み式のハンドル（２）が長手方向にスライドするのを可能にするガイド手段を備えることを特徴とする、請求項１に記載の携帯電話又は類似のデバイス用のケース。
【請求項３】
前記ガイド手段が、互いに離間した一対の長手方向ガイド（３）を備えており、前記一対の長手方向ガイドの間の前記折り畳み式のハンドル（２）がスライドし、前記折り畳み式のハンドル（２）が、動作経路を制限するための当接手段を有することを特徴とする、請求項２に記載の携帯電話又は類似のデバイス用のケース。
【請求項４】
前記折り畳み式のハンドル（２）の一端が、前記ケースの前記本体（１）にヒンジ式に繋げられた回転軸を備えていることを特徴とする、請求項１に記載の携帯電話又は類似のデバイス用のケース。
【請求項５】
前記ケースの前記本体（１）が、前記折り畳み式のハンドル（２）をスイベル式に結合させるシャフトを備えており、前記折り畳み式のハンドル（２）が、前記ケースの前記本体（１）の背面（１１）によって規定される平面に対して平行な平面上を回転することができるようになっていることを特徴とする、請求項１に記載の携帯電話又は類似のデバイス用のケース。
【請求項６】
前記ケースの前記本体（１）が、前記折り畳み式のハンドル（２）の寸法に対して相補的な寸法を有するハウジング（６）を有しており、前記ハウジング内に、前記折り畳み式のハンドル（２）が折り畳まれていない状態で配置され得ることを特徴とする、請求項１に記載の携帯電話又は類似のデバイス用のケース。
【請求項７】
前記ハウジング（６）が、前記ケースの前記本体（１）の背面（１１）にある貫通孔からなることを特徴とする、請求項６に記載の携帯電話又は類似のデバイス用のケース。
【請求項８】
前記折り畳み式のハンドル（２）が、剛性材料又は半剛性材料でできていることを特徴とする、請求項１に記載の携帯電話又は類似のデバイス用のケース。
【手続補正２】
【補正対象書類名】明細書
【補正対象項目名】００１１
【補正方法】変更
【補正の内容】
【００１１】
本発明の別の好適な実施形態では、前記ケースの前記本体が、前記ハンドルをスイベル式（a swivelling manner）に結合させるシャフトを備えることができ、前記ハンドルが、前記ケースの前記本体の背面によって規定される平面に対して平行な平面上を回転することができるようになっている。
【手続補正３】
【補正対象書類名】明細書
【補正対象項目名】００１８
【補正方法】変更
【補正の内容】
【００１８】
したがって、図１ａから図１ｃに見られるように、携帯電話デバイス１０に設置されるのに適したケースが示されており、そのケースには、基本的に、略長方形のベースを有する本体１が備えられており、前記ベースには、ケースの本体１の下側部分（１２）から突出する折り畳み式のハンドル２が組み込まれている。特に、互いに離間した一対の平行な長手方向ガイド３が、ケースの本体１の背面（１１）上に設けられており、それらの長手方向ガイド３の間のハンドル２が、図１ｂに矢印で示された方向にスライドし、折り畳まれた位置又は折り畳まれていない位置を取る。また、折り畳み式のハンドル２がケースの本体１から分離してしまうのを防止するために、折り畳み式のハンドル２は、動作経路を制限するための手段を備えている。
【手続補正４】
【補正対象書類名】明細書
【補正対象項目名】００２０
【補正方法】変更
【補正の内容】
【００２０】
最後に、図３ａから図３ｃは、第三実施形態を示しており、この実施形態では、共通の構成部分または要素もまた同じ参照符号が付けられており、この実施形態では、先の実施形態とは対照的に、ケースの本体１はシャフト又はピン５を備え、折り畳み式のハンドル２がシャフト又はピン５にスイベル式に結合されており、前記ハンドル２が、ケースの本体１の背面（１１）によって規定される平面に対して平行な平面上を回転することができるようになっている。
【手続補正５】
【補正対象書類名】図面
【補正対象項目名】全図
【補正方法】変更
【補正の内容】
【図１ａ】
2016527044.tif 000014
【図１ｂ】
2016527044.tif 000015
【図１ｃ】
2016527044.tif 000016
【図２ａ】
2016527044.tif 000017
【図２ｂ】
2016527044.tif 000018
【図２ｃ】
2016527044.tif 000019
【図２ｄ】
2016527044.tif 000020
【図３ａ】
2016527044.tif 000021
【図３ｂ】
2016527044.tif 000022
【図３ｃ】
2016527044.tif 000023
【図４】
2016527044.tif 000024
【国際調査報告】
2016527044.tif 000025
2016527044.tif 000026
2016527044.tif 000027
2016527044.tif 000028
2016527044.tif 000029
2016527044.tif 000030